(57)【特許請求の範囲】
【請求項１】
ポリエチレンジオキシチオフェンとポリスチレンスルホネートとの複合体（ＰＥＤＴ／ＰＳＳ）の偽造対策としての使用方法であって、
導電性物質である前記複合体を文書、有価証券、銀行券、包装紙若しくは商品を構成する紙繊維内に、前記紙繊維が懸濁液状態のときに予め混合しておき、前記複合体の検知結果に基づいて前記文書、有価証券、銀行券、包装紙若しくは商品の偽造の有無を判断することを特徴とする方法。
【請求項２】
前記ＰＥＤＴ／ＰＳＳには３，４−エチレンジオキシチオフェン（ＥＤＴ）が使用されることを特徴とする請求項１記載の方法。
【請求項３】
前記ＰＥＤＴ／ＰＳＳには、光学特性を有する物質が添加されることを特徴とする請求項１又は２のうちいずれか１に記載の方法。
【請求項４】
ポリエチレンジオキシチオフェンとポリスチレンスルホネートとの複合体（ＰＥＤＴ／ＰＳＳ）の偽造対策としての使用方法であって、
導電性物質である前記複合体を文書、有価証券、銀行券、包装紙若しくは商品を構成する薄基体シート内に前記シートが懸濁液状態のときに予め混合しておき、前記複合体の検知結果に基づいて前記文書、有価証券、銀行券、包装紙若しくは商品の偽造の有無を判断することを特徴とする方法。
【請求項５】
前記ＰＥＤＴ／ＰＳＳには３，４−エチレンジオキシチオフェン（ＥＤＴ）が使用されることを特徴とする請求項４記載の方法。
【請求項６】
前記ＰＥＤＴ／ＰＳＳが取り込まれている前記薄基体シートは、薄シート構造若しくは複合した薄シート内に配置されることを特徴とする請求項４又は５のうちいずれか１に記載の方法。
【請求項７】
前記薄シート構造は、偽造対策として紙繊維内に埋め込まれていることを特徴とする請求項４又は５のうちいずれか１に記載の方法。
【請求項８】
前記ＰＥＤＴ／ＰＳＳは、偽造対策としての印刷用インキの成分であることを特徴とする請求項１乃至７のうちいずれか１に記載の方法。
【請求項９】
前記ＰＥＤＴ／ＰＳＳは、薄シート構造内、及び／又は２つの薄シート間、及び／又は薄シート構造と前記紙との間、での付着促進剤若しくはプライマとして配置されることを特徴とする請求項１乃至８のうちいずれか１に記載の方法。
【請求項１０】
前記ＰＥＤＴ／ＰＳＳには添加物質が組み合わされて用いられることを特徴とする請求項１乃至９のうちいずれか１に記載の方法。
【請求項１１】
前記添加物質は、光学的に活性な顔料、光学的に活性可能な顔料、若しくは磁性を有する顔料であることを特徴とする請求項１０に記載の方法。
【請求項１２】
前記偽造対策は、前記ＰＥＤＴ／ＰＳＳに加えて光学的コード及び／または磁気的コードを備えていることを特徴とする請求項１乃１１のうちいずれか１に記載の方法。
【請求項１３】
前記ＰＥＤＴ／ＰＳＳは、金属皮膜の保護膜として薄シート構造内に配置されていることを特徴とする請求項１乃１２のうちいずれか１に記載の方法。
【発明の詳細な説明】
【０００１】
本発明は、請求項１の前提部に記載された文書、有価証券、銀行券、包装および商品に設けた安全標識のための標識物質に関する。
【０００２】
文書、有価証券、銀行券、包装および商品のための紙料ウエブは、偽造安全性を高めるために標識物質を備えている。従来使用されている光活性標識物質は、現在自由市場で手に入るので、偽造者はそれらを使って作られた安全標識を模倣することができる。
【０００３】
これとの関連においてＥＰ７５３６２３に導電要素を有する安全シートが記載されている。この安全シートは、繊維構造を有する基体マトリクスからなり、導電要素はフォイルとして形成された安全糸である。このフォイルは、ポリチオペン群に属する導電性ポリマーによって被覆されている。導電性ポリマーは液相または分散相でフォイルに塗布される。
【０００４】
ＵＳ５１１２６７２には、導電性安全糸を埋設した安全文書が記載されている。安全糸は、中断部を導電性ポリマーと橋渡しするための金属被覆を有している。
【０００５】
ＵＳ５４１９４２４には、銀行券内に設けた安全糸のための試験装置が示されている。この試験装置は、容量型カップリングで安全糸を検知するセンサー電極を有している。
【０００６】
ＤＥ４３３４７９７には偽造安全文書を作成するための方法およびそれを試験するための方法が開示されている。これらの文書は、交差点で接触する金属ワイヤーからなる格子細工を含んでいる。
【０００７】
ＥＰ８３９９５０には、進行中の繊維ウエブに物質を埋設するための方法が記載されている。物質はフローボックスの中または手前で、繊維物質サスペンジョンに導入される。この導入は、繊維ウエブの全幅にわたって分布している複数の箇所で行われ、少なくとも１つの箇所で間欠的に行われる。
【０００８】
このような状況において偽造者に対して技術的なハードルを築くために、光活性標識物質を使用した複雑な解決手段が生まれた。それは、ＤＥ１９６５３４２３に記載されているように、人間の視覚で認識不可能な、光を吸収する標識物質を追加的に使用するものである。このようにすることによって、たとえば試験の間、赤外光の影響下で欠陥部の目立つ印刷画像が発生する。
【０００９】
偽造安全性を高めるために、さらに標識物質を規定の分布で紙料ウエブに塗着し、文書の真正さを機械的に読み取れるようにする。ＤＥ１９７１４５１９に従い、そのために、人間の目で認識可能な標識物質を使用し、これを線状に形成された標識において視覚的印刷画像に重ねる。使用される標識物質は物理的性質に基づいて機械的に検出可能である。このような物理的性質として、特に導電性が挙げられているが、人間の目で認識不可能な標識物質は開示されていない。
【００１０】
現在、銀行券で広く用いられている安全標識は、少なくとも１つの基体フォイルと、この基体フォイル上に塗着された金属皮膜とからなるフォイル構造によって実現されている。いわゆる安全糸が完全に、または窓を付けて紙料ウエブ内に埋設される。非金属化された認識可能な、記号または文字の箇所を含むそのような安全糸は、最初は人間の目による試験にのみ用いられた。偽造安全性を改善する努力において、金属皮膜の導電性の追加的試験が考慮された。この意図の実現がこれまで失敗したのは、一方では銀行券はその使用において、たとえば利用者が折ったり、畳んだりすることにより、また現金自動支払機や計数機で曲げられることによって、高い機械的負荷を被るためである。他方では、フォイル構造は、すでに製紙の技術的プロセスにおいても緊張したり曲げたりされて著しい負荷を受ける。その結果として金属皮膜中に偶然的に分布した微小なヘアクラックが発生して、あらゆる測定結果を不確実で再生不能にする。しかし、このような安全標識の偽造に対処するために、銀行券の試験装置において、金属皮膜の存在を検出するだけでなく、導電性の測定値に基づき真正さが認識されなければならない。この問題は、ＤＥ４３４４５５３およびＥＰ６５９５８７で提案されているように、超真空下で金属皮膜を蒸着する代わりに金属的に作用する印刷インキを使用しても基本的に解決されない。
【００１１】
導電性は金属の本質的な性質の１つなので、偽造者が金属皮膜の導電性を推測するのは自明であると思われる。それどころか、安全標識の偽造として正しい金属皮膜およびその具体的な形態を文書、有価証券、銀行券、包装または商品内に設けるのに十分な技術的装置が廉価に手に入る。しかし、導電性は迅速かつ確実に検出可能な試験パラメーターなので、この安全標識を放棄する要求はさしあたり存在しない。さらに欠点は、人間の目で見ることのできる金属皮膜が、その性質をほとんど変化させられないことである。なぜならば、金属皮膜は利用者の大部分にとって、常に同じように認識可能な一定の安全標識として働くべきだからである。最後に、製造および試験との関係でかなり多数の人間がこの人間の目で認識可能な安全標識の秘密を知っているので、これらの人間の範囲の広がりと不明さに基づき潜在的な危険が生じる。
【００１２】
本発明の課題は、前記の欠点が生じない導電性標識物質を提案することである。さらに本発明の課題は、偽造安全性の向上に寄与する標識物質を提案することである。なぜならば、人間の目で認識可能な金属皮膜よりも注意を引き付けず、容易に変化させられる別の安全標識を作り出すこと、もしくは推測されず、極めて精密に働く試験技術によってのみ確認可能な、不定箇所に設ける安全標識を提案する必要性が生じたからである。安全性に寄与するこれらの標識および要素は直接に、または紙料ウエブ内に取り入れるべき他の安全標識、たとえば安全糸と組み合わせて、紙料ウエブ内に統合される。
【００１３】
本発明に従い、前記の課題は請求項１、および従属請求項に示されたそれらの特殊な構成によって解決される。さらに、本発明の特徴は、請求項のほかに、発明の詳細な説明および図面から明らかである。この場合、個々の特徴はそれぞれ独立に、または幾つかの特徴を互いに組み合わせて特許性を有する構成をなし、保護が請求される。
【００１４】
本発明による解決手段によって与えられる利点は、発見されたポリエチレンジオキシチオフェンポリスチロールスルホネート（ＰＥＤＴ／ＰＳＳ）に安全紙類との組み合わせにおいて隠蔽された検知可能な標識を装備し、これらの標識が人間の目では認識できず、その一様な、または部分的な存在を試験しなければならないことである。同時に驚くべきことに、標識物質および安全標識を紙料ウエブ内に取り入れるための、連続的に進行して時間を節約できる廉価な方法の利点、およびポリエチレンジオキシチオフェンポリスチロールスルホネート（ＰＥＤＴ／ＰＳＳ）の卓越した物質的性質、すなわち紙料サスペンジョンとの組み合わせにおける良好な適合性による利点が得られる。
【００１５】
以下に、本発明の実施の形態を図面に基づいて詳細に説明する。
【００１６】
図１には、長網抄紙機１、フローボックス３、流出管１７、流出管１７のための制御部１８、各々の流出管１７内の自動バルブ１９、標識物質の循環のためのポンプ２０、および部分的統合のための標識物質の貯蔵容器２６を有する製紙機械が概略的な側面図で示されている。さらに、標識物質を含む試験区域１４が示されている。
【００１７】
図２は、紙料流入部４、部分的試験区域１４、流出管１７、流出管１７のための制御部１８、各々の流出管１７内の自動バルブ１９、標識物質の循環のためのポンプ２０、および部分的統合のための標識物質の貯蔵容器２６を有する製紙機械の円網抄紙機２を概略的な側面図および平面図で示している。
図４は、標識物質を一様に統合するための紙料流入部４とヘッドボックス８とを有する製紙機械の円網抄紙機２を概略的な側面図で示す。
図５は、紙料流入部３、ヘッドボックス８、および紙内に一様に分布した標識物質６を有する製紙機械の長網抄紙機１を概略的な側面図で示す。
【００１８】
図７は、一様な標識物質分布６と導電性刻印領域２４とを有する銀行券を光学スキャナーセンサー１０と容量型スキャナーセンサー１１で走査する際の電圧Ｕをチャネル数の関数で表したグラフの形の信号図を示す。センサーチャネル１〜１４が概略的に示されている。
【００１９】
図７ａは、部分的試験区域を有する枚葉材料を試験する際の光学センサー１０、容量型スキャナーセンサー１１、およびスキャナーセンサー１１を作動させるための光学センサー１３の信号結合を示す。
【００２０】
図８は、刻印セグメント２５、標識物質転移ロール７、透かしとしての導電性試験区域９、標識物質貯蔵容器１６およびプレッシャーロール２７を有する透かし刻印ロール５の概略的な側面図を示す。
【００２１】
図８ａは、標識物質を備えていない紙内の導電性試験区域９を試験する際の電圧Ｕをチャネル数の関数で表したグラフの形の信号図を示す。
【００２２】
図９は、図８に示した紙料ウエブ内への部分的な標識物質統合の後で、容量型スキャナーセンサー１１、これらを作動させるための光学センサー１３および種々の部分的試験区域１４ａ、１４ｂ、１４ｃを有する試験を示す。
【００２３】
図１０は、図９に示す配置構成による部分的な標識物質検知の信号図２３を示す。
【００２４】
図１１は、基体フォイル２８、金属皮膜２９および導電性ポリマーからなる別の皮膜３０を有するフォイル構造を示す。
【００２５】
図１２は、基体フォイル２８、金属皮膜２９および導電性ポリマーからなる別の皮膜３０を有する別のフォイル構造を示す。
【００２６】
図１３は、２つの基体フォイル２８；２８′および金属皮膜２９を有し、各々の基体フォイル２８；２８′が導電性ポリマーからなる別の皮膜３０を有しているフォイル構造を示す。
【００２７】
図１４は、２つの基体フォイル２８；２８′、金属皮膜２９および導電性ポリマーからなる別の皮膜３０を有するフォイル構造を示している。
【００２８】
実施例１
図１および図２に、紙料ウエブ６上に正確に位置決めされた調量装置によって、発見されたポリエチレンジオキシチオフェンポリスチロールスルホネート（ＰＥＤＴ／ＰＳＳ）の部分的塗布を実現する方法を示す。調量装置が標識物質を均等に供給するための前提は、ポンプ２０によって紙料液を、部分的統合のための標識物質の貯蔵容器２６を含む全配管系内で絶えず循環させることである。自動バルブ１９を有するそれぞれ１つの流出管１７からなる調量装置の配置構成によって、標識物質を部分的に紙料ウエブ６上に塗着するか、もしくは紙料ウエブ６内に統合する。それにより、制御に応じて線状に連続した試験区域１４ａ、非連続的な試験区域１４ｂまたは点状の試験区域１４ｃが生じる。これについて図９も参照されたい。紙料ウエブ６を枚葉材料に裁断することによって、標識物質を有する部分的試験区域１４が得られる。これらの試験区域１４は枚葉材料の全幅または全長にわたって延びるか、あるいは枚葉材料の全幅または全長に区分毎に存在することができる。線または線分の幅は、スキャナーセンサー１０；１１の解像力に適合させなければならない。２ｍｍの線幅を選択することが好ましい。
図４および図５に、長網抄紙機１および円網抄紙２における標識物質を一様に混合した紙料の準備、あるいは導電性ポリマーもしくは導電性顔料を含んだ特殊紙の製造を示す。このために、ヘッドボックス８内で紙料に標識物質を混ぜ、絶えず撹拌しながら一様な懸濁液の状態に保つ。固体の標識物質の場合は、好ましくは１０％添加料が適当である。この量は、検知の種類に応じて変わり得る。
【００２９】
導電性ポリマーを使用した場合に得られる利点は、これらのポリマーが紙料液の他の含有物質と良好な適合性を有していることである。それゆえ、紙料内への統合は、固体の標識物質における場合よりもはるかに単純である。なぜならば、導電性ポリマーは液状でも手に入るからである。所要の濃度は、ほぼ透明の導電性標識を可能にする。
【００３０】
実施例２
図８に基づき、刻印ロール５および標識物質転移ロール７により、紙料ウエブ６上にＰＥＤＴ／ＰＳＳの印像が形成される。刻印セグメント２５の印像は、透かし９である導電性区域の画像表示に対応している。
【００３１】
実施例３
図１および図２には、標識物質を統合するための方法と並んで、紙料ウエブ６内の試験区域１４を標識物質の一様な、もしくは部分的な存在について監視することが示されている。ここで得られた試験結果は、制御部１８を介して流出管１７内の自動バルブ１９に影響する。
【００３２】
前述したように、図７、図７ａ、図８ａ、図９および図１０には、種々の応用における試験方法と対応する信号図が示されている。
【００３３】
図７では、刻印領域２４における透かしに基づいて、透かしの具体的な形態に関する参照試験としての紙の導電性の試験をどのように実施するかが示されている。透かしの入った紙が、光学スキャナーセンサー１０と別の容量型スキャナーセンサー１１とを矢印方向に順次通過する。これに対応する信号図は、光学スキャナーセンサー１０と容量型スキャナーセンサー１１とで一致する電圧経過を、ここではチャネル数の関数として示している。図７ａに示すように、ここでもセンサーチャネルは前述したように交互に励起される。
【００３４】
図９および図１０に、紙上に線状に塗布された標識物質の試験、およびその際に生じる信号図２３を示す。図９ａでは、紙は標識物質を線状に連続的に塗布した試験区域１４ａを含んでいる。光学センサー１３と容量型スキャナーセンサー１１とからなる試験配置構成を通過する際に、信号図２３では相応の連続的な電圧経過Ｕ＝ｆ（ｔ）が生じている。図９ｂでは試験区域１４ｂで標識物質の塗布は規則的な間隔で中断されている。試験の間、電圧経過Ｕ＝ｆ（ｔ）において相応の規則的な段差のある信号図２３が生じる。図９ｃでは試験区域１４ｃで標識物質の塗布が規則的な間隔で中断されている。これも発生する信号図２３に反映されている。
【００３５】
実施例４
以下に、図１１〜図１４に基づいて、紙料ウエブ６内に取り入れるフォイル構造における導電性標識物質の応用について説明する。紙料ウエブ内に取り入れる安全標識のフォイル構造は、たとえばポリプロピレンからなる、好ましくは厚さ４０μｍの基体フォイル２８；２８′を含んでいる。基体フォイル２８；２８′に、たとえば蒸着またはスパッタリングによって塗着された金属皮膜２９は、約２ｎｍの追加的な厚さを有している。
【００３６】
金属皮膜２９は、たとえば文字または数字の形をした非金属化された箇所を含んでおり、これらは透過光において利用者の目に見える。この非金属化された箇所は、部分的に基体フォイル２８；２８′の縁まで延びている。基体フォイル２８；２８′は他方の側に、ＰＥＤＴ／ＰＳＳからなる別の皮膜３０を備えている。式ＣＰＰ１０５に従うＰＥＤＴ／ＰＳＳ（ポリエチレンジオキシチオフェンポリスチロールスルホネート）が、１μｍ〜２μｍの厚さで基体フォイル２８；２８′に塗布されている。従ってこの別の皮膜３０を付加することにより、完全に無視することのできる厚さの増加が生じる。それゆえ、安全標識として紙料ウエブ内に取り入れた、本発明による標識物質を有するフォイル構造は、厚さがわずかに変化したことにより、この紙料ウエブから作成された文書または銀行券をたとえ著しい高さに積み上げた場合でも、それらを損ねることは全くない。また、安全標識を埋め込んだ箇所で紙が厚さの増大によって弱くなることはない。
【００３７】
たとえば蒸着またはスパッタリングによって基体フォイル２８；２８′に塗着された金属皮膜２９は、わずか数原子層の厚さであり、それゆえ基体フォイルの表面構造に応じて比較的脆い。畳んだり、曲げたり、折ったりすると、偶然的に分布したヘアクラックが発生し、金属皮膜２９の所定部分における導電性の意図した測定を不可能にする。これに対し別の皮膜３０は曲げやすく弾力的で、金属皮膜２９に対して基体フォイル２８；２８′の表面構造に応じて伸び率がはるかに大きい。たとえば銀行券を曲げたり、折ったり、畳んだりしても、別の皮膜３０の中断は発生しない。たとえば自動現金支払機内に存在している試験装置は、このとき安全標識の所定の部分に対して、公知の技術に従って設けられている、場合によってヘアクラックが存在する金属皮膜２９と、金属皮膜２９に対して平行に接続された比較的高オームの別の皮膜３０とから導電性の測定値を検出する。
【００３８】
実施例５
図１１に、たとえば銀行券に設けた、安全標識のための本発明による標識物質を有するフォイル構造の好ましい構成が示されている。図１１は、片側に金属皮膜２９が塗着された基体フォイル２８を示す。基体フォイル２８の他方の側は、導電性ポリマーからなる別の皮膜３０を基体している。別の皮膜３０を基体フォイル２８に塗着することは、通常の技術的方法、たとえばカレンダーによって行われる。これにより複合フォイルが生じ、次いでこれに金属皮膜２９を、たとえば蒸着によって塗着する。もちろん、導電性ポリマーからなる別の皮膜３０は、基体フォイル２８を金属皮膜２９に蒸着した後で塗着することも可能である。このようなフォイル構造においては、別の皮膜３０から金属皮膜２９に対するある程度の保護効果が生じる。
【００３９】
実施例６
図１２は、本発明による標識物質を有するフォイル構造の別の好ましい構成を示す。ここに示されているのは、金属皮膜２９を有する基体フォイル２８である。基体フォイル２８と金属皮膜２９との間に、導電性ポリマーからなる別の皮膜３０が基体フォイル２８と金属皮膜２９との間の付着剤として存在する。付着剤として別の皮膜３０ＰＥＤＴ／ＰＳＳを配置することは、基体フォイル２８と金属皮膜２９との間の付着を改善することに限られていない。別の皮膜３０は、付着を改善するために任意の別のフォイルの間または皮膜の間に装入することも可能である。しかし、基体フォイル２８と金属皮膜２９との間の付着剤としての利点は、比較的脆い金属皮膜２９がはるかに弾力的な別の皮膜３０上で、基体フォイル２８を直接蒸着する場合よりもはるかに高い機械的荷重に抵抗することである。
【００４０】
実施例７
図１３は、基体フォイル２８に金属皮膜２９を塗着した、本発明による標識物質を有する安全標識のためのフォイル構造を示す。金属皮膜２９は別の基体フォイル２８′によって覆われている。これは、たとえば金属皮膜２９が部分的に紙料ウエブ内に埋め込んだ窓付き糸で比較的高い負荷を被る場合に、金属皮膜２９を保護するために行われる。製紙の技術的プロセス中の比較的高い負荷は、別の基体フォイル２８′を挿入するためのもう１つの理由である。少なくとも１つの基体フォイル２８；２８′は、導電性ポリマーからなる別の皮膜３０を備えている。
【００４１】
実施例８
図１３では、両基体フォイル２８；２８′が別の皮膜３０を基体しているが、図１４では、一方の基体フォイル２８のみが導電性ポリマーからなる別の皮膜３０を基体している構成が示されている。本発明は、本発明による標識物質を別の皮膜３０としてフォイル構造で使用することに制限されるものではない。本発明による標識物質は、任意の構成において安全標識として紙料ウエブに取り入れることができる。
【００４２】
実施例９
導電性の標識のほかに別の安全標識を設け、これを適当な仕方で組み合わせると偽造安全性の改善につながる。たとえばポリマーの導電性のほかに、人間の目で認識可能な標識顔料や、適当な試験装置、たとえば特殊な光源や光学センサーでしか認識できない標識顔料が設けられている。さらに本発明は、導電性と、磁性を有する添加物質との組み合わせにも及ぶ。特に本発明の趣旨において、導電性を光学的標識物質および磁気標識物質と組み合わせることが有利である。有利な応用を挙げると、磁性を有する添加物質を、人間の目で認識可能な標識顔料を負荷することによって隠す。これによって、潜在的な偽造者にとって磁気作用を有する物質が存在しているか確実ではなくなる。なぜならば特に使用量が少なく、磁気作用は簡単に検出できないからである。
【００４３】
導電性ポリマーＰＥＤＴ／ＰＳＳ内に光学的に作用する添加物質が単に存在するだけでなく、本発明では、光学的なコーディング、たとえば試験装置で評価可能な色パターンが生じるように、光学的に作用する添加物質が導電性ポリマー内に配置されているようにもできる。同じことは磁気作用を有する添加物質にも該当し、本発明による配置構成により、たとえば磁気バーコードのような磁気コーディングが生じる。
【図面の簡単な説明】
【図１】線状の標識物質を部分的に統合する方法を示すための製紙機械の長網抄紙機の概略的な側面図および平面図である。
【図２】この方法を示すための製紙機械の円網抄紙機の概略的な側面図および平面図である。
【図４】標識物質を一様に統合するための紙料流入部を有する製紙機械の円網抄紙機の概略的な側面図である。
【図５】標識物質を一様に統合するためのフローボックスを有する製紙機械の長網抄紙機の概略的な側面図である。
【図７】透かしを入れた銀行券をセンサーで走査する際の信号図である。
【図７ａ】センサーの信号結合を示す図である。
【図８】標識物質転移ロールを有する透かし刻印ロールの概略的な側面図である。
【図８ａ】慣用的な紙内に設けた導電性透かしの信号図である。
【図９】紙料ウエブ上への部分的な標識塗布もしくは紙料ウエブ（６）内への標識統合における概略図である。
【図１０】部分的な標識物質検知の信号図である。
【図１１】基体フォイル、金属皮膜および導電性ポリマーからなる別の皮膜を有するフォイル構造である。
【図１２】基体フォイル、金属皮膜および導電性ポリマーからなる別の皮膜を有する別のフォイル構造である。
【図１３】２つの基体フォイルおよび金属皮膜を有し、各々の基体フォイルが導電性ポリマーからなる別の皮膜を有しているフォイル構造。
【図１４】２つの基体フォイル、金属皮膜および導電性ポリマーからなる別の皮膜を有するフォイル構造である。
【図１】
0003984422.tif 000002
【図２】
0003984422.tif 000003
【図４】
0003984422.tif 000004
【図５】
0003984422.tif 000005
【図７】
0003984422.tif 000006
【図７ａ】
0003984422.tif 000007
【図８】
0003984422.tif 000008
【図８ａ】
0003984422.tif 000009
【図９】
0003984422.tif 000010
【図１０】
0003984422.tif 000011
【図１１】
0003984422.tif 000012
【図１２】
0003984422.tif 000013
【図１３】
0003984422.tif 000014
【図１４】
0003984422.tif 000015